(57)【要約】      （修正有）【課題】ユーザーが、日常的に画像形成装置を使用しつつ、反復して学習することができる画像形成装置を提供する。【解決手段】画像形成装置１０は、画像形成部２００と、表示部２１０と、入力部２２０と、制御部１００とを備える。画像形成部２００は、画像を形成する。表示部２１０は、問いを表示する。入力部２２０は、ユーザーによって解答が入力される。制御部１００は、解答の入力に応じて、画像形成部２００に画像を形成させる。【選択図】図１
2015189144.tif 000002
【特許請求の範囲】
【請求項１】
画像を形成する画像形成部と、
問いを表示する表示部と、
ユーザーが解答を入力する入力部と、
前記解答の入力に応じて、前記画像形成部に画像を形成させる制御部と
を備える、画像形成装置。
【請求項２】
前記入力された解答と正答とが一致するか否かを判定する判定部をさらに備える、請求項１に記載の画像形成装置。
【請求項３】
前記入力された解答と前記正答とが一致する場合に、前記制御部は、前記画像形成部に画像を形成させる、請求項２に記載の画像形成装置。
【請求項４】
複数の問いを記憶する記憶部をさらに備え、
前記記憶部は、解答済の問いを記憶し、
前記制御部は、前記解答済の問いに基づいて、前記複数の問いから前記表示部に表示させる問いを選択する、請求項２又は請求項３に記載の画像形成装置。
【請求項５】
前記記憶部は、前記判定部が判定した結果を記憶し、
前記制御部は、前記結果に基づいて、前記複数の問いから前記表示部に表示させる問いを選択する、請求項４に記載の画像形成装置。
【請求項６】
ユーザーに付与された識別情報を認証する認証部をさらに備え、
前記識別情報に基づいて、前記制御部は、前記複数の問いから前記表示部に表示させる問いを選択する、請求項４又は請求項５に記載の画像形成装置。
【請求項７】
前記記憶部は、前記複数の問いの各々に対応する解説をさらに記憶し、
前記制御部は、前記解説を前記表示部に表示させる、請求項５に記載の画像形成装置。
【請求項８】
前記制御部は、前記表示部に表示させる問い及び前記正答のうち少なくとも１つを外部装置から読み込む、請求項７に記載の画像形成装置。
【請求項９】
前記表示部に表示された問い、前記正答、及び前記解説のうち、少なくとも１つを電子文書として前記外部装置に伝送する、請求項８に記載の画像形成装置。
【請求項１０】
前記画像形成部は、前記記憶部又は前記外部装置から伝送された情報をシートに形成する、請求項８又は請求項９に記載の画像形成装置。
【請求項１１】
前記画像形成部は、前記表示部に表示された問い、前記正答及び前記解説のうち、少なくとも１つをシートに形成する、請求項７から請求項１０のいずれか１項に記載の画像形成装置。
【発明の詳細な説明】
【技術分野】
【０００１】
本発明は、画像形成装置に関する。
【背景技術】
【０００２】
特許文献１は応用機能（例えば、オーバーレイ印刷）を備えた画像形成装置を開示する。応用機能の操作方法は表示部に表示され、ユーザーに、応用機能の疑似体験操作を行わせることで、ユーザーに応用機能の操作方法を学習させる。
【先行技術文献】
【特許文献】
【０００３】
【特許文献１】特開２００２−３５１３０１号公報
【発明の概要】
【発明が解決しようとする課題】
【０００４】
知識は反復して学習することで身に付く。しかしながら、自発的に反復して学習することを負荷であると感じる人が多い。従って、反復して学習することは難しい。
【０００５】
本発明は、上記課題に鑑みてなされたものであり、ユーザーが、日常的に画像形成装置を使用しつつ、反復して学習することができる画像形成装置を提供することを目的としている。
【課題を解決するための手段】
【０００６】
本発明の観点によれば、画像形成装置は、画像形成部と、表示部と、入力部と、制御部とを備える。前記画像形成部は、画像を形成する。前記表示部は、問いを表示する。前記入力部は、ユーザーが解答を入力する。前記制御部は、前記解答の入力に応じて、前記画像形成部に画像を形成させる。
【発明の効果】
【０００７】
本発明によれば、解答を入力されたことに応じて、制御部は画像形成部に画像を形成させる。従って、ユーザーが解答しなければ画像形成は開始されない。その結果、ユーザーは、画像形成装置を使用する度に問いに解答することで、反復して学習できる。
【図面の簡単な説明】
【０００８】
【図１】本発明の実施形態１に係る画像形成装置を示すブロック図である。
【図２】本発明の実施形態１に係る画像形成装置の表示部に表示される問いを示す図である。
【図３】本発明の実施形態１に係る画像形成装置の画像形成方法を示すフローチャートである。
【図４】本発明の実施形態２に係る画像形成装置を示すブロック図である。
【図５】本発明の実施形態２に係る画像形成装置の表示部に表示される判定結果を示す図である。
【図６】本発明の実施形態２に係る画像形成装置及び画像形成装置に接続された外部装置を示す図である。
【図７】本発明の実施形態２に係る画像形成装置を示すブロック図である。
【図８】本発明の実施形態２に係る画像形成装置の断面を示す図である。
【図９】本発明の実施形態２に係る画像形成装置の画像形成方法を示すフローチャートである。
【図１０】本発明の実施形態３に係る画像形成装置を示すブロック図である。
【図１１】本発明の実施形態３に係る画像形成装置の画像形成方法を示すフローチャートである。
【発明を実施するための形態】
【０００９】
以下、本発明の実施形態について、図面を参照しながら説明する。なお、図中、同一または相当部分については同一の参照符号を付して説明を繰り返さない。
【００１０】
（実施形態１）
図１を参照して本発明の実施形態１に係る画像形成装置１０の基本原理を説明する。図１は、画像形成装置１０を示すブロック図である。画像形成装置１０は、画像形成部２００と、表示部２１０と、入力部２２０と、制御部１００とを備える。
【００１１】
画像形成部２００は、画像を形成する。表示部２１０は、問い６０を表示する。入力部２２０は、ユーザーによって解答が入力される。制御部１００は、解答の入力に応じて、画像形成部２００に画像を形成させる。
【００１２】
本実施形態１によれば、解答が入力されたことに応じて、制御部１００は、画像形成部２００に画像を形成させる。従って、ユーザーが解答しなければ画像形成は開始されない。その結果、画像形成装置１０を使用する度に問いに解答することで、ユーザーは、反復して学習できる。
【００１３】
図１〜図３を参照して、画像形成操作の詳細を説明する。図２は、画像形成装置１０の表示部２１０に表示される問い６０を示す図である。図３は、実施形態１に係る画像形成方法を示すフローチャートである。表示部２１０には、問い６０として問題文と選択肢が表示される。さらに表示部２１０には、ボタン６２が表示される。ボタン６２は、ボタン６２ａ、ボタン６２ｂ、ボタン６２ｃ、及びボタン６２ｄを含む。
【００１４】
ボタン６２のうち、ボタン６２ａは選択肢Ａに対応する。ボタン６２ｂは選択肢Ｂに対応する。ボタン６２ｃは選択肢Ｃに対応する。ボタン６２ｄは選択肢Ｄに対応する。以下、本実施形態１において、ユーザーがスキャナー機能を実行させる操作を例に挙げて説明する。
【００１５】
なお、画像形成装置１０は、コピー機能、スキャナー機能、プリンター機能、及びファクシミリ機能などの複数の機能を備えており、それら各機能に対応する機能を実行する。なお、本発明の画像形成装置１０は、コピー機、スキャナー、プリンター、又はファクシミリなどの単機能装置であってもよい。
【００１６】
ステップＳ１０において、ユーザーは、読取対象物（例えば、印刷物又は写真）を画像形成装置１０に載置し、スキャナー機能を実行させるための開始ボタン（図示せず）を押し、画像形成を要求する。ステップＳ１２において、制御部１００は、図２に示すように、表示部２１０に問い６０及び入力部２２０としてのボタン６２を表示させる。ステップＳ１４において、ユーザーは選択肢を選び、ボタン６２に接触し、解答を入力する。ステップＳ１６において、制御部１００は、画像形成部２００に画像を形成させる。
【００１７】
表示部２１０に表示される問い６０は、例えば、一般常識に関する問いであってもよいし、ユーザーが所属する企業における社内規則に関する問いであってもよい。また、ボタン６２は表示部２１０に表示される画像の一部又は全部でもよい。あるいは、ボタン６２は例えば、テンキー、キーボード、又はスイッチのように物理的に画像形成装置１０に備えられる。
【００１８】
以上、図１〜図３を参照して説明したように、本実施形態によれば、ユーザーは、画像形成を要求するたびに問いを解くことができる。従って、画像形成装置１０を使用するたびに学習できる。その結果、ユーザーは反復して学習できる。
【００１９】
（実施形態２）
図２、図４、及び図５を参照して、本発明の実施形態２に係る画像形成装置１０について説明する。図４は、画像形成装置１０を示すブロック図である。図５（ａ）及び図５（ｂ）は、表示部２１０に表示される判定結果を示す図である。ここで、図２に示す問い６０の正答はＣである。画像形成装置１０は、記憶部１１０と、判定部１２０とをさらに備える。なお、実施形態２に係る画像形成装置１０において、実施形態１に対応する部分には実施形態１と同一の参照符号を付し、重複する説明を省略する。
【００２０】
記憶部１１０は、複数の問いを記憶する。判定部１２０は、ユーザーによって入力された解答と正答とが一致するか否かを判定する。
【００２１】
以下、本実施形態２において、画像形成装置１０を使用する例として、ユーザーが画像形成装置１０のスキャナー機能を実行させる操作を例に挙げて説明する。
【００２２】
ユーザーは、読取対象物を画像形成装置１０に載置し、スキャナー機能を実行させるための開始ボタン（図示せず）を押す。つまり、画像形成を要求する。その後、図２に示すように、表示部２１０に問い６０及び入力部２２０としてのボタン６２が表示される。ユーザーは、ボタン６２に接触することで解答を入力できる。
【００２３】
ユーザーがボタン６２のうちＣ（ボタン６２ｃ）に接触して解答を入力した場合、入力された解答と問い６０の正答とは一致する。従って、判定部１２０は入力された解答と正答とが一致すると判定する。その結果、制御部１００は、図５（ａ）に示すように判定結果を表示部２１０に表示させ、スキャナー機能を実行させる。ユーザーは正答に一致する解答を入力したことで、画像形成装置１０を使用できる。
【００２４】
ユーザーが、ボタン６２のうちＡ（ボタン６２ａ）、Ｂ（ボタン６２ｂ）又はＤ（ボタン６２ｄ）のいずれかに接触して解答を入力した場合、入力された解答と問い６０の正答とは一致しない。従って、判定部１２０は入力された解答と問い６０の正答とが一致しないと判定する。その結果、制御部１００は、図５（ｂ）に示すように判定結果を表示部２１０に表示させ、再度問い６０を表示部２１０に表示させる。
【００２５】
ユーザーは、判定部１２０が、入力された解答と問い６０の正答とが一致すると判定するまで解答を入力する。入力された解答と正答とが一致すると判定されたことに応じて、制御部１００は画像形成部２００にスキャナー機能を実行させる。
【００２６】
記憶部１１０は、解答済の問いを記憶する。制御部１００は、記憶部１１０が記憶した解答済の問いに基づいて複数の問いから表示部２１０に表示する問いを選択する。従って、記憶部１１０が記憶した結果に基づいて制御部１００は、複数の問いから解答が入力されていない問いを優先して選択し、表示部２１０に表示させることができる。その結果、様々な問い、つまり解答が入力されていない問いを学習したいとき、ユーザーは、解答が入力されていない問いを反復して解くことができる。
【００２７】
一方、制御部１００は、複数の問いから解答済の問いを優先して選択することもできる。その結果、同じ問い、つまり解答が入力された問いを繰り返し学習したいとき、ユーザーは、解答済の問いを反復して解くことができる。
【００２８】
さらに、記憶部１１０は、選択された問いが表示部２１０に表示された表示回数を記憶することもできる。記憶部１１０が、複数の問いの全部を解答済の問いとして記憶する場合、制御部１００は、表示部２１０に表示された回数に基づいて表示部２１０に表示させる問いを選択できる。
【００２９】
記憶部１１０は、判定部１２０に判定された結果を記憶する。すなわち、ユーザーに入力された解答と問いの正答とが、一致したか否かを記憶する。従って、記憶部１１０が記憶した結果に基づいて、制御部１００は、複数の問いからユーザーに入力された解答と問いの正答とが一致しなかった問いを優先して選択し、表示部２１０に表示させることができる。その結果、ユーザーは、間違えた問いを反復して解くことができる。
また、記憶部１１０は、複数の問いの各々に対応する解説をさらに記憶する。制御部１００は、解説を表示部２１０に表示させる。
【００３０】
図６を参照して、外部装置に接続された画像形成装置１０について説明する。図６は、画像形成装置１０及び画像形成装置１０に接続された外部装置を示す図である。図６に示すように画像形成装置１０は、外部装置としての外部サーバー２０とネットワーク３０を介して接続することができる。外部装置は、例えば、ＵＳＢメモリーのようなフラッシュメモリーであってもよい。
【００３１】
制御部１００は、表示部２１０に表示させる問い６０及び正答のうち少なくとも１つを外部サーバー２０から読み込む。従って、画像形成装置１０が有する記憶容量の不足が軽減され、画像形成装置１０の動作性の低下を軽減できる。その結果、ユーザーが問いを反復して解く際の画像形成装置１０の操作性の低下を軽減することができる。
【００３２】
また、ユーザーは、例えば画像形成装置１０に備えられる表示部２１０及び入力部２２０のうち少なくとも１つを操作して、画像形成装置１０に記憶された複数の問いの内容（例えば、問いの問題文、問いの選択肢、又は正答）及び複数の正答を更新する。従って、ユーザーは、複数の問いの内容を更新するためには画像形成装置１０を占有する。
【００３３】
一方、画像形成装置１０が外部サーバー２０に接続された場合には、ユーザーが外部サーバー２０に記憶された複数の問いの内容を更新することで、表示部２１０に表示される問い６０の内容を更新できる。その結果、複数の問いの内容を更新する操作を行う際に、ユーザーは、画像形成装置１０を占有しなくてもよい。
【００３４】
なお、更新するための操作は、複数の問いの内容の更新に限られず、問いの数及び問いの正答を増やすことも含む。
【００３５】
また、図６に示すようにネットワーク３０を介して画像形成装置１０と外部サーバー２０とが接続され、さらにユーザーが使用するコンピューター４０が接続される。この場合、ユーザーはコンピューター４０を操作し、外部サーバー２０から複数の問い及び複数の正答を読み出すこともできる。
【００３６】
従って、ユーザーは、画像形成装置１０で学習した問いのうち、再度学習したい問いを外部サーバー２０から読み出し、コンピューター４０に表示できる。また、複数の問い及び複数の問いの正答が画像形成装置１０に記憶されている場合、ユーザーは、再度学習したい問いを画像形成装置１０から読み出し、コンピューター４０に表示できる。その結果、ユーザーは、コンピューター４０を使用して再度学習したい問いを反復して解くことができる。
【００３７】
さらに、ユーザーは、表示部２１０に表示された問い、正答、及び解説のうち少なくとも１つを電子文書として外部サーバー２０に伝送できる。電子文書は外部サーバー２０とネットワーク３０を介してコンピューター４０に伝送される。その結果、ユーザーは、電子文書を利用して表示部２１０に表示された問いを再度学習できる。
【００３８】
図７及び図８を参照して、実施形態２に係る画像形成装置１０について説明する。図７は、画像形成装置１０を示すブロック図である。図８は、画像形成装置１０の断面を示す図である。
【００３９】
画像形成装置１０は、制御部１００、記憶部１１０、画像形成部２００、表示部２１０、入力部２２０、画像読取部２４０、給紙部２５０、搬送部２６０、原稿搬送部２７０、及び定着部２８０を備える。記憶部１１０は、主記憶装置（例えば、半導体メモリー）及び補助記憶装置（例えば、半導体メモリー、又はハードディスクドライブ）を含む。
【００４０】
制御部１００は、画像形成装置１０の構成の全体を制御する。具体的には、制御部１００が、記憶部１１０に格納されたコンピュータープログラムを実行することにより、原稿搬送部２７０、画像読取部２４０、入力部２２０、表示部２１０、給紙部２５０、搬送部２６０、画像形成部２００、及び定着部２８０を制御する。制御部１００は、例えば、ＣＰＵ（Ｃｅｎｔｒａｌ  Ｐｒｏｃｅｓｓｉｎｇ  Ｕｎｉｔ）である。
【００４１】
原稿搬送部２７０は、画像読取部２４０に向けて原稿を搬送する。画像読取部２４０は、原稿の画像を読み取って画像データを生成する。給紙部２５０は、給紙カセット７０及び手差しトレイ６４を含む。給紙カセット７０はシートＴを積載する。シートＴは、給紙カセット７０又は手差しトレイ６４から搬送部２６０に送り出される。シートＴは、例えば、普通紙、再生紙、薄紙、厚紙、又はＯＨＰ（Ｏｖｅｒｈｅａｄ  Ｐｒｏｊｅｃｔｏｒ）シートである。
【００４２】
搬送部２６０は、画像形成部２００にシートＴを搬送する。画像形成部２００は、入力部２２０を介して入力された情報に従って、シートＴに画像を形成する。シートＴに形成される画像は、例えば、実施形態１又は実施形態２に示された読取対象物、表示部２１０に表示された問い６０、正答又は解説である。
【００４３】
画像形成部２００は、感光体ドラム８１、帯電部８２、露光部８３、現像部８４、転写部８５、クリーニング部８６、及び除電部８７を含む。具体的には、画像形成部８０は、次のようにしてシートＴに画像を形成（印刷）する。
【００４４】
帯電部８２は感光体ドラム８１の表面を帯電する。露光部８３は、画像読取部２４０によって生成された画像データ又は記憶部１１０に格納された画像データに基づく光を感光体ドラム８１の表面に照射する。その結果、感光体ドラム８１の表面には画像データに対応した静電潜像が形成される。
【００４５】
現像部８４は、感光体ドラム８１の表面に形成された静電潜像を現像し、感光体ドラム８１の表面にトナー像を形成する。シートＴが感光体ドラム８１と転写部８５との間に供給されることにともなって、転写部８５はシートＴにトナー像を転写する。
【００４６】
トナー像が転写されたシートＴは定着部２８０に向けて搬送される。定着部２８０は、シートＴを加熱及び加圧して、シートＴにトナー像を定着させる。そして、排出ローラー対７２はシートＴを排出トレイ７４に排出する。クリーニング部８６は、感光体ドラム８１の表面に残留しているトナーを除去する。除電部８７は、感光体ドラム８１の表面の残留電荷を除去する。
【００４７】
以上、図７及び図８を参照して説明したように、本実施形態２によれば、画像形成装置１０は、シートＴに画像を形成できる。ユーザーは、読取対象物（例えば印刷物又は写真）だけでなく、表示部２１０に表示された問い、複数の問い又は正答のうち少なくとも１つをシートＴに画像として形成できる。
【００４８】
図４、及び図９を参照して、画像形成方法について説明する。図９は、実施形態２に係る画像形成方法を示すフローチャートである。ユーザーは、ステップＳ２０からステップＳ３４までの手順を実行することで画像を形成することができる。
【００４９】
ステップＳ２０において、ユーザーは、画像形成を要求する。ステップＳ２２において、制御部１００は、複数の問いから表示部２１０に表示させる問い６０を選択する。ステップＳ２４において、制御部１００は、記憶部１１０が記憶した結果に基づいて、選択された問いが解答済であるか否かを判定する。ステップＳ２４において肯定的判定（ＹＥＳ）がされた場合、処理はステップＳ２６に進む。ステップＳ２４において否定的判定（ＮＯ）がされた場合、処理はステップＳ２８に進む。
【００５０】
ステップＳ２６において、制御部１００は、記憶部１１０が記憶した判定結果に基づいて、解答結果が正答と一致したか否かを判定する。ステップＳ２６において肯定的判定（ＹＥＳ）がされた場合、処理はステップＳ２２に進む。
【００５１】
ステップＳ２８において、制御部１００は、選択された問いを表示部２１０に表示させる。ステップＳ３０において、ユーザーは、解答を入力する。ステップＳ３２において、判定部１２０は、ユーザーに入力された解答と正答とが一致するか否かを判定する。
【００５２】
ステップＳ３２において、肯定的判定（ＹＥＳ）がされた場合、処理はステップＳ３４に進む。ステップＳ３２において、否定的判定（ＮＯ）がされた場合、処理はステップＳ３０に進む。ステップＳ３４において、制御部１００は、画像形成部２００に画像を形成させる。
【００５３】
（実施形態３）
図１０を参照して、本発明の実施形態３に係る画像形成装置１０について説明する。図１０は、画像形成装置を示すブロック図である。画像形成装置１０は、認証部１３０をさらに備える。なお、実施形態３に係る画像形成装置１０において、実施形態１及び実施形態２に対応する部分には同一の参照符号を付し、重複する説明を省略する。
【００５４】
認証部１３０は、ユーザーに付与された識別情報を認証する。識別情報に基づいて、制御部１００は、複数の問いから表示部２１０に表示させる問い６０を選択する。
【００５５】
複数のユーザー（第１ユーザー及び第２ユーザー）で画像形成装置１０を使用する場合を例にあげて説明する。第１ユーザーは、英語を学習したい。第２ユーザーは、社内規則を学習したい。そこで、記憶部１１０には予めユーザーごとに学習したい内容に関する問いを保存しておく。本実施形態において、学習したい内容に関する問いは、英語に関する問い又は社内規則に関する問いである。
【００５６】
認証部１３０が、第１ユーザーに付与された識別情報を認証すると、制御部１００は、英語に関する問いを選択する。認証部１３０が、第２ユーザーに付与された識別情報を認証すると、制御部１００は、社内規則に関する問いを選択する。
【００５７】
尚、認証部１３０が行う識別情報を認証する方法は、社員ＩＤ、パスワード及びカードによる認証などがあげられる。
【００５８】
第１ユーザーは画像形成装置１０の画像形成機能を実行させるための開始ボタンを押すことで、画像形成を要求し、更にユーザーに付与された識別情報を入力する。認証部１３０は入力された識別情報に基づきユーザー認証を行う。認証部１３０は、入力情報が第１ユーザーに付与された識別情報であると認証し、制御部１００は、第１ユーザーが学習したい英語に関する問いを表示部２１０に表示させる。このとき、画像形成を要求したユーザーが第２ユーザーであった場合、認証部１３０は、識別情報に基づいて画像形成を要求したユーザーが第２ユーザーであると認証し、制御部１００は、第２ユーザーが学習したい社内規則に関する問いを表示部２１０に表示させる。
【００５９】
本実施形態によれば、識別情報に基づいて、複数の問いから表示部２１０に表示する問いが選択される。従って、識別情報に対応する問いを予め記憶しておくことで、制御部１００は、表示部２１０に表示させる問い６０をユーザーごとに選択することができる。その結果、ユーザーは、複数の問いのうち学習したい内容に関する問いを反復して学習することができる。
【００６０】
図６、図１０、及び図１１を参照して、制御部１００が実行する画像形成方法について説明する。図１１は、実施形態３に係る画像形成方法を示すフローチャートである。
【００６１】
ステップＳ５０において、ユーザーは、画像形成装置１０の画像形成機能を実行させるための開始ボタンを押すことで、画像形成を要求し、更にユーザーに付与された識別情報を入力する。ステップＳ５２において、認証部１３０は、ユーザーに入力された識別情報に基づきユーザー認証を行う。ステップＳ５４において、制御部１００は、識別情報に基づいて、表示部２１０に表示させる問いを選択する。ステップＳ５６において、制御部１００は、選択された問いが解答済の問いであるか否かを判定する。ステップＳ５６において、肯定的判定（ＹＥＳ）がされた場合、処理はステップＳ５８に進む。ステップＳ５６において、否定的判定（ＮＯ）がされた場合、処理はステップＳ６０に進む。
【００６２】
ステップＳ５８において、制御部１００は、判定部１２０が判定した結果が一致していたか否かを判定する。ステップＳ５８において、肯定的判定（ＹＥＳ）がされた場合、処理はステップＳ５４に進む。ステップＳ５８において、否定的判定（ＮＯ）がされた場合、処理はステップＳ６０に進む。
【００６３】
ステップＳ６０において、制御部１００は、表示部２１０に選択された問いを表示する。ステップＳ６２において、入力部２２０は、ユーザーによって解答を入力される。ステップＳ６４において、判定部１２０は、ユーザーによって入力された解答と正答とが一致するか否かを判定する。ステップＳ６４において肯定的判定（ＹＥＳ）がされた場合、処理はステップＳ６６に進む。ステップＳ６４において否定的判定（ＮＯ）がされた場合、処理はステップＳ６２に進む。ステップＳ６６において、画像形成部２００は、画像を形成する。
【００６４】
以上、図１〜図１１を参照して実施形態１〜実施形態３について説明した。ただし、本発明は、上記の実施形態に限られるものではなく、その要旨を逸脱しない範囲で種々の態様において実施することが可能であり、例えば、以下のような変形も可能である。
【００６５】
（１）図２を参照して説明したように、ユーザーが画像形成を要求すると表示部２１０に問い６０が表示される。ただし、制御部１００が表示部２１０に問いを表示させている状態で、ユーザーが画像形成を要求することもできる。
【００６６】
（２）図２を参照して説明したように、ユーザーは、表示部２１０に表示された問い６０を、選択肢（ボタン６２）から解答を選択して入力した。ただし、表示部２１０に文字を入力できる領域を設け、ユーザーは文字を入力して解答することもできる。入力できる文字は、例えば平仮名、カタカナ、アルファベット、又は数字である。
【００６７】
（３）図６を参照して説明したように、表示部２１０に表示された問い、正答、及び解説のうち少なくとも１つは電子文書としてコンピューター４０に伝送された。ただし、電子文書が伝送される媒体はコンピューター４０に限られず、個人用のコンピューター又は携帯電話であってもよいし、若しくはタブレット端末であってもよい。
【００６８】
（４）図７及び図８を参照して説明したように、画像形成部２００は、表示部２１０に表示された問い、正答、又は解説をシートＴに画像として形成した。ただし、画像形成部２００は、記憶部１１０又は外部装置としての外部サーバー２０から伝送された情報を画像としてシートに形成してもよい。情報は、例えば、クーポン情報、広告、又は社内の新着情報である。
【産業上の利用可能性】
【００６９】
本発明は、問いを表示する画像形成装置及び画像形成方法の分野に利用可能である。
【符号の説明】
【００７０】
１０      画像形成装置
１００    制御部
１１０    記憶部
１２０    判定部
１３０    認証部
２００    画像形成部
２１０    表示部
２２０    入力部
２３０    原稿搬送部
２４０    画像読取部
２５０    給紙部
２６０    搬送部
２７０    画像形成部
２８０    定着部
【図１】
2015189144.tif 000003
【図２】
2015189144.tif 000004
【図３】
2015189144.tif 000005
【図４】
2015189144.tif 000006
【図５】
2015189144.tif 000007
【図６】
2015189144.tif 000008
【図７】
2015189144.tif 000009
【図８】
2015189144.tif 000010
【図９】
2015189144.tif 000011
【図１０】
2015189144.tif 000012
【図１１】
2015189144.tif 000013